(57)【要約】【課題】天井下地の野縁と野縁受の交差部に設置することで耐震性能を付与することが可能である。【解決手段】天井下地構造を野縁と野縁受の交差部で補強する補強金具であり、第１の金具１の板材を野縁受８に跨るように配置し、板材の下部の切り込みを野縁７に嵌合させ、野縁受固定用ボルト１ｅを野縁受８に締め付けて固定し、第２の金具２の止め板材２ａを第１の金具１の板材に跨るように配置し、止め板材２ａの板材を跨ぐ両側において野縁７の片側の野縁リップ部７ｄ１に固定板材２ｄ，２ｅのレ型端部２ｄ１，２ｅ１を引っ掛け、複数の押え板２ｂ，２ｃを止め板材２ａの板材を跨ぐ両側に分けて配置し、止め板材２ａと押え板２ｂ，２ｃとで固定板材２ｄ，２ｅを挟み込んで複数の野縁リップ部固定ボルト２ｆ，２ｇにより締め付け固定する。【選択図】図２
2008248514.tif 000002
【特許請求の範囲】
【請求項１】
天井スラブまたは梁を含む建物の構造体から吊持された野縁及び野縁受を備える天井下地構造を前記野縁と前記野縁受の交差部で補強する補強金具であって、  
前記野縁受に取り付けられる第１の金具と前記野縁に取り付けられる第２の金具により構成され、
前記第１の金具は、前記野縁受の水平幅に嵌合するように板材中央部を略コの字型に折曲げ、前記野縁受を挟み込んで、前記板材の下端部に形成した切欠きを前記野縁に嵌合して保持し、野縁受固定用ボルトにより締め付け固定し、
前記第２の金具は、前記第１の金具に跨るように形成した略コの字型の止め板材と、複数の押え板と、その間に挟み込む端部がレ型に折曲げられた固定板材と、それらを貫通固定する複数の野縁リップ部固定ボルトとを有し、
前記第２の金具の前記止め板材を前記第１の金具の前記板材に跨るように配置し、前記止め板材の前記板材を跨ぐ両側において前記野縁の片側の野縁リップ部に前記固定板材のレ型端部を引っ掛け、
前記複数の押え板を前記止め板材の前記板材を跨ぐ両側に分けて配置し、前記止め板材と前記押え板とで前記固定板材を挟み込んで前記複数の野縁リップ部固定ボルトにより締め付け固定することを特徴とする補強金具。
【請求項２】
前記第１の金具は、前記板材の下端部には野縁幅の切欠きと前記切欠きに下方に延出して位置する野縁幅方向の突起を有し、
前記切欠きの両端部と前記突起との間に形成された係合溝を、前記野縁リップ部に嵌合して保持することを特徴とする請求項１に記載の補強金具。
【請求項３】
前記第１の金具または前記第２の金具の少なくとも一方に、斜めブレースを２方向Ｖ型の少なくとも片側に取り付けるためのブレース取付用ボルト孔が開口されていることを特徴とする請求項１または請求項２に記載の補強金具。
【請求項４】
天井スラブまたは梁を含む建物の構造体から吊持された野縁及び野縁受を備える天井下地構造を前記野縁と前記野縁受の交差部で補強する補強金具の取付方法であって、
第１の金具の板材を前記野縁受に跨るように配置し、前記板材の下部の切り込みを前記野縁に嵌合させ、野縁受固定用ボルトを前記野縁受に締め付けて固定し、
前記第２の金具の前記止め板材を前記第１の金具の前記板材に跨るように配置し、前記止め板材の前記板材を跨ぐ両側において前記野縁の片側の野縁リップ部に固定板材のレ型端部を引っ掛け、
複数の押え板を前記止め板材の前記板材を跨ぐ両側に分けて配置し、前記止め板材と前記押え板とで前記固定板材を挟み込んで複数の野縁リップ部固定ボルトにより締め付け固定することを特徴とする補強金具の取付方法。
【請求項５】
前記第１の金具または前記第２の金具の少なくとも一方に、斜めブレースを２方向Ｖ型の少なくとも片側に取り付けることを特徴とする請求項４に記載の補強金具の取付方法。
【発明の詳細な説明】
【技術分野】
【０００１】
この発明は、例えば大空間などの既存建物の、在来工法による軽量鉄骨造の天井下地構造に耐震性能を付与することができ、また新築建物の天井下地構造の耐震補強としても適用可能な天井下地材の補強金具及びその取付方法に関するものである。
【背景技術】
【０００２】
天井下地構造では、図９に示すように、体育館等の天井耐震補強の例として、野縁１００と野縁受１０２の交差部で、野縁１００と野縁受１０２に係合しているだけの固定度の低いクリップ１０１の弱点に着目して、クリップ自体を野縁受１０２に補強ビス１０３で直接ビス止めしたり、図１０に示すように、野縁１００と野縁受１０２の間に補強金物１１１をあてがい、補強金物１１１をビス１１２によって野縁１００に固定し、野縁１００と野縁受１０２の交差部を補強する方法がある。
【０００３】
また、図１１に示すように、野縁１００と野縁受１０１の交差部で、耐風型天井補強用に開発された一対の耐風型補強クリップ１２０を用い、この一対の耐風型補強クリップ１２０をボルト１２１で固定して二重のクリップで挟持することで補強する方法もある。
【０００４】
さらに、天井内に耐震用の斜めブレースを設置する装置として、例えば、図１２に示すものが公開されているが、斜めブレース１３１の下端部は、吊りボルト１３２の下部、天井下地材を吊持するハンガー１３０の上部１３０ａに設置されていることが多い（特許文献１）。
【特許文献１】特開平１０−１２１６４２号公報
【発明の開示】
【発明が解決しようとする課題】
【０００５】
ここで、図９及び図１０に示すものでは、単にプレート材で補強するだけであるため多数箇所への設置が必要となるが、地震時にどれ程の効果を発揮するかは定かではなく、しかも既存の天井改修工事では、天井面に接近した体勢でのビス止め作業が天井全面で必要となる  ことから、そのために足場設備も広範囲に必要になるなど、仮設費や施工手間が多大となる。
【０００６】
また、図１１に示すものでは、特別仕様の一対の耐風型補強クリップ１２０を使用しているものの野縁１００と野縁受１０１の交差部での補強は十分ではなく、特別仕様であるため従来品との混在使用が出来ず全て特別仕様としなければならないため不経済となる。図１２に示すものでは、ハンガー１３０に集中して大きなせん断力が働き、ハンガー１３０が損傷する可能性がある。
【０００７】
このような類似工法のそれぞれ、または組み合わせで耐震補強工事が計画されるが、既存天井の改修では天井の全面改修が必要となったり、在来天井下地の耐震安全性を解決するに至ってない。
【０００８】
さらに、在来の天井下地材に水平地震力を抑える斜めブレースを設置する取付方法は色々と提案されているが、地震力が作用した場合に斜めブレースや吊ボルトに圧縮力が作用して座屈してしまうことや、ブレース下端（天井下地側）をハンガー直上や野縁受へ接続する取付方法では、水平分力による吊ボルトの曲げ変形やハンガーの曲がり、野縁受の倒れ変形が発生するために、ブレース設置による下地材への悪影響が天井損傷に繋がることが判ってきている。
【０００９】
この発明は、かかる点に鑑みなされたもので、天井下地の野縁と野縁受の交差部に設置することで耐震性能を付与することが可能な補強金具及び補強金具の取付方法を提供することを目的としている。
【課題を解決するための手段】
【００１０】
前記課題を解決し、かつ目的を達成するために、この発明は、以下のように構成した。
【００１１】
請求項１に記載の発明は、天井スラブまたは梁を含む建物の構造体から吊持された野縁及び野縁受を備える天井下地構造を前記野縁と前記野縁受の交差部で補強する補強金具であって、  
前記野縁受に取り付けられる第１の金具と前記野縁に取り付けられる第２の金具により構成され、
前記第１の金具は、前記野縁受の水平幅に嵌合するように板材中央部を略コの字型に折曲げ、前記野縁受を挟み込んで、前記板材の下端部に形成した切欠きを前記野縁に嵌合して保持し、野縁受固定用ボルトにより締め付け固定し、
前記第２の金具は、前記第１の金具に跨るように形成した略コの字型の止め板材と、複数の押え板と、その間に挟み込む端部がレ型に折曲げられた固定板材と、それらを貫通固定する複数の野縁リップ部固定ボルトとを有し、
前記第２の金具の前記止め板材を前記第１の金具の前記板材に跨るように配置し、前記止め板材の前記板材を跨ぐ両側において前記野縁の片側の野縁リップ部に前記固定板材のレ型端部を引っ掛け、
前記複数の押え板を前記止め板材の前記板材を跨ぐ両側に分けて配置し、前記止め板材と前記押え板とで前記固定板材を挟み込んで前記複数の野縁リップ部固定ボルトにより締め付け固定することを特徴とする補強金具である。
【００１２】
請求項２に記載の発明は、前記第１の金具は、前記板材の下端部には野縁幅の切欠きと
前記切欠きに下方に延出して位置する野縁幅方向の突起を有し、
前記切欠きの両端部と前記突起との間に形成された係合溝を、前記野縁リップ部に嵌合して保持することを特徴とする請求項１に記載の補強金具である。
【００１３】
請求項３に記載の発明は、前記第１の金具または前記第２の金具の少なくとも一方に、斜めブレースを２方向Ｖ型の少なくとも片側に取り付けるためのブレース取付用ボルト孔が開口されていることを特徴とする請求項１または請求項２に記載の補強金具である。
【００１４】
請求項４に記載の発明は、天井スラブまたは梁を含む建物の構造体から吊持された野縁及び野縁受を備える天井下地構造を前記野縁と前記野縁受の交差部で補強する補強金具の取付方法であって、
第１の金具の板材を前記野縁受に跨るように配置し、前記板材の下部の切り込みを前記野縁に嵌合させ、野縁受固定用ボルトを前記野縁受に締め付けて固定し、
前記第２の金具の前記止め板材を前記第１の金具の前記板材に跨るように配置し、前記止め板材の前記板材を跨ぐ両側において前記野縁の片側の野縁リップ部に固定板材のレ型端部を引っ掛け、
複数の押え板を前記止め板材の前記板材を跨ぐ両側に分けて配置し、前記止め板材と前記押え板とで前記固定板材を挟み込んで複数の野縁リップ部固定ボルトにより締め付け固定することを特徴とする補強金具の取付方法である。
【００１５】
請求項５に記載の発明は、前記第１の金具または前記第２の金具の少なくとも一方に、斜めブレースを２方向Ｖ型の少なくとも片側に取り付けることを特徴とする請求項４に記載の補強金具の取付方法である。
【発明の効果】
【００１６】
前記構成により、この発明は、以下のような効果を有する。
【００１７】
請求項１に記載の発明では、野縁と野縁受の交差部で、野縁受に取り付けられる第１の金具と、野縁に取り付けられる第２の金具により構成され、第１の金具の板材を略コの字型に折曲げて野縁受を囲い込み野縁に野縁受を野縁受の軸方向に固定し、第２の金具により野縁受と第１の金具とを抱きかかえるように略コの字型に挟み込み、野縁受を跨いだ両側において野縁の片側の野縁リップ部を固着することで、第２の金具と野縁で、第１の金具と野縁受とを閉じた輪として囲い込んで野縁と野縁受の交差部を強固に固定することができる。また、少ない構成部材で、天井下地の野縁と野縁受の交差部に簡単かつ確実に設置することができ、地震力を、簡便かつ確実に野縁と天井面材に伝達し、耐震性能を付与することが可能である。
【００１８】
請求項２に記載の発明では、第１の金具は、切欠きの両端部と突起との間に形成された係合溝を、野縁リップ部に嵌合して確実に保持することで、野縁が野縁受と直交方向に横すべり移動することを阻止することができる。
【００１９】
請求項３に記載の発明では、第１の金具または第２の金具の少なくとも一方に、斜めブレースを２方向Ｖ型の少なくとも片側に取り付けることで、より効果的にブレースを機能させることで地震力を確実に野縁と天井面材に伝達し、耐震性能を付与することが可能である。
【００２０】
請求項４に記載の発明では、野縁と野縁受の交差部において、第１の金具の板材を略コの字型に折曲げて野縁受を囲い込み野縁に野縁受を野縁受の軸方向に固定し、第２の金具により野縁受と第１の金具とを抱きかかえるように略コの字型に挟み込み、野縁受を跨いだ両側において野縁の片側の野縁リップ部をつぶして固着して確実に固定することで、第２の金具と野縁で、第１の金具と野縁受とを閉じた輪として囲い込んで、野縁と野縁受の交差部を強固に固定することができる。
【００２１】
請求項５に記載の発明では、第１の金具または第２の金具の少なくとも一方に、斜めブレースを２方向Ｖ型の少なくとも片側に取り付けることで、より効果的にブレースを機能させることで地震力を確実に野縁と天井面材に伝達し、耐震性能を付与することが可能である。
【発明を実施するための最良の形態】
【００２２】
以下、この発明の補強金具及び補強金具の取付方法の実施の形態について説明する。この発明の実施の形態は、発明の最も好ましい形態を示すものであり、この発明はこれに限定されない。
【００２３】
［実施の形態１］
図１は在来工法による軽量鉄骨造の天井下地構造の概略を説明するための斜視図、図２は補強金具の取付状態を示す斜視図、図３は補強金具の取付状態を示す平面図、図４は図３のＩＶ−ＩＶ線に沿う断面図、図５は図３のＶ−Ｖ線に沿う断面図である。
【００２４】
この実施の形態の在来工法による軽量鉄骨造の天井下地構造は、図１に示すように、天井５０に、大型の野縁６を平行に所定幅で複数個配置し、この平行に配置した複数個の野縁６の間にはそれぞれ複数個の小型の野縁７を配置している。この大型の野縁６と小型の野縁７は、同じ高さで、かつ同じ長さになっている。大型の野縁６と小型の野縁７に対して直交する方向に複数個の野縁受８が配置されている。この大型の野縁６と野縁受８とは、クリップ１０で固定され、小型の野縁７と野縁受８とは、クリップ１１で固定されている。
【００２５】
野縁受８には、ハンガー１２が所定間隔で固定され、このハンガー１２に吊ボルト５の下部を連結し、吊ボルト５の上部は天井スラブまたは梁を含む建物の構造体２０に連結する。この建物の構造体２０としては、例えば鉄骨造の構造体である。吊ボルト５により吊持された天井下地構造では、野縁６，７と野縁受８は、既存のものが用いられ、鋼材やアルミ合金材などを採用することができるが、それらに限ることなく、在来工法による軽量鉄骨造の天井下地構造に用いられるものであれば、どのような材質からなるものでもよい。
【００２６】
野縁７と野縁受８の交差部には、補強金具Ａが固定され、補強金具Ａは第１の金具１と第２の金具２により構成され、この第１の金具１と第２の金具２は、例えば鋼板などで成形された板材などからなる。第１の金具１には、一対の斜めブレース３０の下部が接続され、一対の斜めブレース３０の上部は、斜め補強取付金物３１に接続されている。第２の金具２には、一対の斜めブレース４０の下部が接続され、一対の斜めブレース４０の上部は、斜め補強取付金物４１に接続されている。一対の斜め補強取付金物３１は、中央に配置された野縁受８の両側に設けられた吊ボルト５に固定され、一方、一対の斜め補強取付金物４１は、両側に配置された野縁受８に設けられた吊ボルト５に固定されている。
【００２７】
この実施の形態の補強金具Ａは、野縁７と野縁受８の交差部に簡単かつ確実に設置することができ、野縁７と野縁受の交差部を強固に固定するとともに、地震力を、簡便かつ確実に野縁７と天井面材に伝達し、耐震性能を付与することが可能である。さらに、所定の斜めブレース３０，４０を設けることで、より効果的にブレースを機能させることで地震力を確実に野縁７と天井面材に伝達し、耐震性能を付与することが可能である。
【００２８】
斜めブレース３０，４０は、補強金具Ａと隣接する四方で四箇所の吊ボルト５の吊元基端の斜め補強取付金物３１，４１間に斜めに設置し、ブレース材自体は耐震上要求される水平抵抗の分担力が作用した時に座屈しない断面性能を有する既存の型鋼を用いる。吊ボルト５の吊元基端部には、斜め補強取付金物３１，４１として既往のブレース取付金具を使用し、ブレース材をビス止めしてもよい。
【００２９】
次に、補強金具Ａの詳細構成について、図２乃至図５に基づいて詳細に説明する。補強金具Ａは、野縁７及び野縁受８を備える天井下地構造を補強するものであり、この実施の形態では野縁７と野縁受８の交差部に取り付けられているが、野縁６と野縁受８の交差部に取り付けても良い。補強金具Ａは、第１の金具１と第２の金具２により構成され、第１の金具１は、主に野縁受８に取り付けられ、第２の金具２は主に野縁７に取り付けられる。野縁７は、断面がコ字状であり、基部７ａの両側を屈曲し、この両側の屈曲部７ｂ１，７ｂ２から基部７ａに対して略直角方向に延び、その両端を内側に屈曲して開口７ｃ側に一対の野縁リップ部７ｄ１，７ｄ２が形成されている。野縁受８は、断面がコ字状であり、基部８ａの両側を屈曲し、この両側の屈曲部８ｂ１，８ｂ２から基部８ａに対して略直角方向に延び、開口８ｃ側に一対のフランジ部８ｄ１，８ｄ２が形成されている。野縁７は、その基部７ａを下方にして天井側にし、一対の野縁リップ部７ｄ１，７ｂ２を上側にして配置され、この野縁７の一対の野縁リップ部７ｄ１，７ｂ２に、野縁受８は、そのフランジ部８ｄ２を重ねて配置されている。
【００３０】
第１の金具１は、例えば鋼板などからなる板材の両側部に同じ側から切り込み１ｇ１１，１ｇ２１を入れて中央部を、設置された野縁受８の水平幅に嵌合するように略コの字型に折曲げ、折り曲部１ｂ，１ｃを有している。ここで、略コの字型とは、角をほぼ直角に折り曲げるコの字型、角を緩く折り曲げるＵ字型なども含む。この折り曲部１ｃの一端には、ナット１ｄが溶接で固定され、このナット１ｄに野縁受固定用ボルト１ｅが螺着して取付られている。第１の金具１は、野縁受８を挟み込んで野縁受固定用ボルト１ｅの先端部１ｅ１が野縁受８のフランジ部８ｄ１の端部８ｄ１１を押圧して締め付け固定する。第１の金具１の板材の下端部には、野縁幅の切欠き１ｆがあり、切欠き１ｆを野縁７の一対の野縁リップ部７ｄ１，７ｂ２に嵌合して保持し、略コの字型に折り曲げられた第１の金具１の板材により野縁受８を挟持固定するとともに、野縁７を野縁受８に野縁受８の軸方向に滑って横移動しないように固定する。板材の上部の対向する２箇所１ｇ１，１ｇ２には、ブレース取付用ボルト孔１ｈ１，１ｈ２が開口され、ブレース取付用ボルト孔１ｈ１，１ｈ２に、それぞれ斜めブレース３０の下部をあてがいボルト１ｉ１，１ｉ２を貫通させてナット１ｊ１，１ｊ２によって締め付け固定される。
【００３１】
図の例では、板材の上部の対向する２箇所１ｇ１，１ｇ２は、切り込み１ｇ１１によって１箇所１ｇ１が折り曲部１ｂ側に位置し野縁受８の基部８ａ側において立ち上がるように形成され、他の１箇所１ｇ２が切り込み１ｇ２１によって折り曲部１ｃ側に位置し野縁受８のフランジ部８ｄ１の先端側において立ち上がるように形成され、野縁受８のフランジ部８ｄの幅分の軸をずらして設けられている。また、板材の上部の対向する２箇所１ｇ１，１ｇ２は、１箇所１ｇ１が折り曲部１ｂ側またはフランジ部８ｄ１の先端側に位置し野縁受８の基部８ａ側またはフランジ部８ｄ側において立ち上がるように形成し、他の１箇所１ｇ２も同様に折り曲部１ｂ側またはフランジ部８ｄ１の先端側に位置し野縁受８の基部８ａ側またはフランジ部８ｄ側において立ち上がるように形成し、野縁受８のフランジ部８ｄの幅分の軸をずらさないようにしても良い。この板材の上部の対向する２箇所１ｇ１，１ｇ２の配置位置は、一対の斜めブレース３０の取付位置などによって、野縁受８のフランジ部８ｄの幅分の軸をずらすか、ずらさないようにするかを選択することができる。
【００３２】
第２の金具２は、第１の金具１に跨るように形成した略コの字型の止め板材２ａを有している。ここで、略コの字型とは、角をほぼ直角に切り欠いて第１の金具１に跨るように形成したコの字型、角を緩く切り欠いて第１の金具１に跨るように形成したＵ字型なども含む。この止め板材２ａは、板材上部に対向する２箇所２ａ１，２ａ２を有し、この２箇所２ａ１，２ａ２にはブレース取付用ボルト孔２ａ３，２ａ４が開口されている。また、第２の金具２は、止め板材２ａと、２枚の押え板２ｂ，２ｃと、その間に挟み込む端部２ｄ１，２ｅ１がレ型に折曲げられた例えば薄軟鋼板などで構成された固定板材２ｄ，２ｅと、それらを貫通固定する１組の野縁リップ部固定ボルト２ｆ，２ｇを有している。この固定板材２ｄ，２ｅは別体にしているが、一体に形成しても良い。第２の金具２の止め板材２ａに形成された凹み部２ｘによって第１の金具１の板材の中央部に跨るように配置し、２ヶ所の下端部を野縁７の片側のリップ部７ｄ１の外側に当てがい、下方の片側の野縁リップ部７ｄ１の内側に固定板材２ｄ，２ｅのレ型端部２ｄ１，２ｅ１を引っ掛けて挟み込んで、止め板材２ａの板材の中央部を跨ぐ両側に２枚の押え板２ｂ，２ｃを分けて配置し、１組の野縁リップ部固定ボルト２ｆ，２ｇにナット２ｈ，２ｉを螺着して締め付け固定する。斜めブレース４０の下部は止め板材２ａの上部の２箇所２ａ１，２ａ２と、２枚の押え板２ｂ，２ｃ間に、それぞれ斜めブレース４０の下部の取付部をブレース取付用ボルト孔２ａ３，２ａ４にあてがい、これらにボルト２ｋ１，２ｋ２を貫通させてナット２ｍ１，２ｍ２によって締め付け固定される。
【００３３】
この実施の形態の補強金具Ａは、野縁７と野縁受８の交差部で、主に野縁受８に取り付けられる第１の金具１と、主に野縁７に取り付けられる第２の金具２により構成され、少ない構成部材でより効果的に斜めブレース３０，４０を機能させることで地震力を確実に野縁７と天井面材に伝達し、耐震性能を付与することが可能である。
【００３４】
この補強金具Ａの取付方法は、野縁７と野縁受８の交差部において、第１の金具１の板材の中央部を野縁受８に跨るように乗せ、板材の下部の切り込み１ｆを野縁７の一対の野縁リップ部７ｄ１，７ｂ２に嵌合させ、野縁受固定用ボルト１ｅを締め付け、野縁受８に固定する。野縁受固定用ボルト１ｅの位置は、野縁受８の上部のフランジ部１ｄ１を締め付ける位置とすることが強度的に有利である。
【００３５】
次に、第２の金具２の止め板材２ａを野縁受８と直交する方向に野縁受８に取り付けられた第１の金具１の板材を跨ぐように配置し、第１の金具１の板材を跨ぐ両側において野縁７の片側の野縁リップ部７ｄ１に２枚の固定板材２ｄ，２ｅを分けて配置してレ型端部２ｄ１，２ｅ１を引っ掛けて重なるようにし、さらに２枚の押え板２ｂ，２ｃを止め板材２ａの第１の金具１の板材を跨ぐ両側に分けて配置する。そして、止め板材２ａと押え板２ｂ，２ｃとで固定板材２ｄ，２ｅを挟み込んで１組の野縁リップ部固定ボルト２ｆ，２ｇにナット２ｈ，２ｉを螺着して締め付け、野縁の片側の野縁リップ部７ｄ１と固定板材２ｄ，２ｅのレ型端部２ｄ１，２ｅ１を２箇所離れて締めつぶすことで固着して固定する。
【００３６】
このように、この補強金具では、まず第１の金具１の板材の中央部を、設置された野縁受８を略コの字型に折曲げて保持し、略コの字型に折り曲げられた第１の金具１の板材により野縁受８を挟持固定するとともに、野縁７を野縁受８に野縁受８の軸方向に滑って横移動しないように固定する。第２の金具２の止め板材２ａにより野縁受８と第１の金具１の板材とを抱きかかえるように略コの字型に挟み込み、野縁受８を跨いだ両側において止め板材２ａと押え板２ｂ，２ｃとで固定板材２ｄ，２ｅを挟み込んで１組の野縁リップ部固定ボルト２ｆ，２ｇにナット２ｈ，２ｉを螺着して締め付け、野縁７の片側の野縁リップ部７ｄ１と固定板材２ｄ，２ｅのレ型端部２ｄ１，２ｅ１を２箇所離れて締めつぶすことで固着して固定する。これにより第２の金具２と野縁７で、第１の金具１と野縁受８とを閉じた輪として強固に囲い込んで固定することができる。
【００３７】
また、両側から略コの字型の止め板材２ａと、２枚の押え板２ｂ，２ｃで挟み込んで１組の野縁リップ部固定ボルト２ｆ，２ｇにナット２ｈ，２ｉを螺着して締め付け、野縁７の片側の野縁リップ部７ｄ１と固定板材２ｄ，２ｅのレ型端部２ｄ１，２ｅ１を２箇所離れて締めつぶすことで、止め板材２ａと２枚の押え板２ｂ，２ｃの摩擦力と野縁リップ部７ｄ１を締めつぶす機械的な拘束力を発揮し、斜めブレース３０、４０から生じるせん断力を地震時に確実に受け止めることができる。また、野縁受８の方向のせん断力は、第１の金具１の板材の切欠き１ｆを野縁７の一対の野縁リップ部７ｄ１，７ｂ２に嵌合して保持し、さらに野縁受８を挟み込んで野縁受固定用ボルト１ｅの先端部１ｅ１が野縁受８のフランジ部８ｄ１の端部を押圧して締め付け固定することで、野縁７に確実に伝達される。
【００３８】
また、第１の金具１には、斜めブレース３０を２方向Ｖ型に取り付け、第２の金具２には、斜めブレース４０を２方向Ｖ型に取り付けているが、第１の金具１または第２の金具２の少なくとも一方に、ブレースを２方向Ｖ型に取り付けることができる。また、第１の金具１または第２の金具２の少なくとも一方に、斜めブレースを２方向Ｖ型の少なくとも片側に取り付けることができ、より効果的にブレースを機能させることで地震力を確実に野縁と天井面材に伝達し、耐震性能を付与することが可能である。
【００３９】
また、補強金具Ａは、野縁７と野縁受８の交差部で、野縁受８に取り付けられる第１の金具１と、野縁７に取り付けられる第２の金具２により構成され、少ない構成部材で、天井下地の野縁７と野縁受８の交差部に簡単かつ確実に設置することができ、野縁７と野縁受の交差部を強固に固定するとともに、地震力を、簡便かつ確実に野縁７と天井面材に伝達し、耐震性能を付与することが可能である。さらに、所定の斜めブレース３０，４０を設けることで、より効果的にブレースを機能させることで地震力を確実に野縁７と天井面材に伝達し、耐震性能を付与することが可能である。
【００４０】
このように、補強金具Ａは、斜めブレース３０，４０に生じる水平地震力に抵抗する力を直接野縁７または、野縁７にビス固定された天井面材（ボード等）に伝達することが必要となるが、第１の金具１と、第２の金具２とからなる少ない構成部材で斜めブレース３０，４０に生じる地震力を、既存天井を存置したまま、簡便かつ確実に野縁と天井面材（ボード等）に伝達し、耐震補強を実現することができる。
【００４１】
また、野縁方向の荷重に対しては、斜めブレース４０を取付ける第２の金具２の止め板材２ａを野縁７そのものに沿わせて設置し、そのせん断力は野縁７の片側の野縁リップ部７ｄ１に固定板材２ｄ，２ｅのレ型端部２ｄ１，２ｅ１を引っ掛けて重なるようにし、両側からコの字型の止め板材２ａと２枚の押え板２ｂ，２ｃで挟み込んで１組の野縁リップ部固定ボルト２ｆ，２ｇにナット２ｈ，２ｉを螺着して締め付け、野縁７の野縁リップ部７ｄ１と固定板材２ｄ，２ｅのレ型端部２ｄ１，２ｅ１を２箇所離れて締めつぶすことで固着して確実に固定することで得られる材間摩擦力と、締め付け力による野縁７の野縁リップ部７ｄ１のリップ形状を局部的に変形させることによって得られる機械的な拘束力と、野縁７の野縁リップ部７ｄ１のリップ形状の一部に止め板材２ａと一体となったレ型端部２ｄ１，２ｅ１を有する固定板材２ｄ，２ｅを止め板材２ａの両側に挟み込んで得られる金具全体の回転変形を拘束する効果を発揮させることで確保し、野縁７自体にビス孔等の欠損を与えないで実現させることができる。
【００４２】
野縁受８方向の荷重に対しては、野縁受８を第１の金具１の板材により挟み込んで野縁受固定用ボルト１ｅの先端部１ｅ１が野縁受８のフランジ部８ｄ１の端部を押圧して締め付け固定し、上側のフランジ部８ｄ１を拘束させることで、部材間の摩擦力と回転拘束を得て、合せて第１の金具１を、野縁受８に跨るように乗せ、下部の切欠き１ｆを野縁７の一対の野縁リップ部７ｄ１，７ｂ２に嵌合させて直交する野縁７を嵌め込むことで拘束力を発揮することができる。
【００４３】
この実施の形態では、斜めブレース３０，４０は、その上端を隣接する吊ボルト５の上部スラブ端基部に既応の一対の斜め補強取付金物３１，４１を利用して取付け、新たなアンカーは必要としない。Ｖ型１対を基本組み合わせで平面ＸＹ両軸方向にそれぞれもしくは、組み合わせて設置して吊ボルト５に圧縮力を与えることなく水平力を負担することができる。この斜めブレース３０，４０は、軸圧縮力により座屈を生じない断面性能を有する既製の形鋼を使用することができる。
【００４４】
また、斜めブレース３０，４０は用いないで、野縁７と野縁受８の交差部に補強金具Ａを備え、補強金具Ａを備えることで天井スラブまたは梁を含む建物の構造体２０から吊ボルトにより吊持された野縁７及び野縁受８を備える天井下地構造を補強することもできる。また、補強金具Ａは、野縁７と野縁受８の交差部で取り付けるようにしているが、野縁６と野縁受８の交差部で取り付けるようにしてもよい。
【００４５】
［実施の形態２］
図６は補強金具の取付状態を示す他の実施の形態の斜視図である。この実施の形態は、図１乃至図５の実施の形態と同様に形成されるが、第１の金具１と第２の金具２は、野縁７及び野縁受８に固定後に第１の金具１の中央部と第２の金具２の中央部と金具７０を溶接して固定して一体化している。また、予め第１の金具１と第２の金具２は、金具７０を同様に溶接して一体化し、野縁７及び野縁受８に固定する。このように、第１の金具１と第２の金具２は、野縁７及び野縁受８に固定後に金具７０で固定して一体化し、または予め第１の金具１と第２の金具２を一体化することで、第１の金具１と第２の金具２の連結補強効果が向上する。
【００４６】
［実施の形態３］
図７は補強金具の取付状態を示す他の実施の形態の斜視図、図８は野縁に第１の金具を固定した状態を示す要部の拡大図である。この実施の形態は、図１乃至図５の実施の形態と同様に形成されるが、第１の金具１は、板材の下端部には野縁幅の切欠き１ｆと、この切欠き１ｆに位置する野縁幅方向の突起１ｎを有している。この板材の下端部の切欠き１ｆの両端部１ｆ１１，１ｆ１２と、突起１ｎとの間に係合溝１ｏ１，１ｏ２が形成され、この板材を野縁受８に固定した状態では、係合溝１ｏ１，１ｏ２にそれぞれの野縁リップ部７ｄ１，７ｂ２に嵌合して保持される。このように、第１の金具１は、切欠き１ｆの両端部１ｆ１１，１ｆ１２と、突起１ｎとの間に形成された係合溝１ｏ１，１ｏ２を、野縁７の野縁リップ部７ｄ１，７ｂ２に嵌合して確実に保持し、第１の金具１の板材に対して野縁７が直交方向に移動することを一層確実に防止することができる。
【産業上の利用可能性】
【００４７】
この発明は、例えば大空間などの既存建物の、在来工法による軽量鉄骨造の天井下地構造に耐震性能を付与することができ、また新築建物の天井下地構造の耐震補強としても適用可能な天井下地材の補強金具及びその取付方法に適用でき、天井下地の野縁と野縁受の交差部に設置することで耐震性能を付与することが可能である。
【図面の簡単な説明】
【００４８】
【図１】在来工法による軽量鉄骨造の天井下地構造の概略を説明するための斜視図である。
【図２】補強金具の取付状態を示す斜視図である。
【図３】補強金具の取付状態を示す平面図である。
【図４】図３のＩＶ−ＩＶ線に沿う断面図である。
【図５】図３のＶ−Ｖ線に沿う断面図である。
【図６】補強金具の取付状態を示す他の実施の形態の斜視図である。
【図７】補強金具の取付状態を示す他の実施の形態の斜視図である。
【図８】野縁に第１の金具を固定した状態を示す要部の拡大図である。
【図９】従来の天井耐震補強の例を示す図である。
【図１０】従来の天井耐震補強の例を示す図である。
【図１１】従来の天井耐震補強の例を示す図である。
【図１２】従来の天井耐震補強の例を示す図である。
【符号の説明】
【００４９】
Ａ  補強金具
１  第１の金具
１ｂ，  １ｃ  折り曲部
１ｄ  ナット
１ｅ  野縁受固定用ボルト
１ｆ  切欠き
２  第２の金具
２ａ  止め板材
２ｂ，２ｃ  押え板
２ｄ，２ｅ    薄軟鋼板
２ｆ，２ｇ  野縁リップ部固定ボルト
５  吊ボルト
６，７  野縁
７ａ  基部  ７ｂ１，７ｂ２  屈曲部
７ｃ  開口
７ｄ１，７ｂ２  野縁リップ部
８ａ  基部
８ｂ１，８ｂ２  屈曲部
８ｃ  開口
８ｄ１，８ｄ２  フランジ部
２０  躯体
３０  斜めブレース
３１  斜め補強取付金物
４０  斜めブレース
４１  斜め補強取付金物
【図１】
2008248514.tif 000003
【図２】
2008248514.tif 000004
【図３】
2008248514.tif 000005
【図４】
2008248514.tif 000006
【図５】
2008248514.tif 000007
【図６】
2008248514.tif 000008
【図７】
2008248514.tif 000009
【図８】
2008248514.tif 000010
【図９】
2008248514.tif 000011
【図１０】
2008248514.tif 000012
【図１１】
2008248514.tif 000013
【図１２】
2008248514.tif 000014